(57)【特許請求の範囲】
【請求項１】
ハウジングと、
電線引き出し部分を残して前記ハウジングの開口部を覆うカバーと、
前記電線引き出し部分から引き出される電線と、該電線を収容保護する管体とを含み、
前記カバーは、前記ハウジングとのロック部に一体形成されており、かつ、前記ハウジングの外方にアーム状に延びた操作アームを含み、
該操作アームを弾性変形させることによって、前記ロック部による前記ハウジングとの係止解除を可能とし、かつ、前記管体を位置決めした位置で係合する前記操作アームが形成されている管体係合部は前記ハウジングとの係止解除及び前記管体の位置決めを兼用する解除兼位置決め部と、を有する
ことを特徴とする電線引き出し部分構造。
【請求項２】
請求項１に記載の電線引き出し部分構造において、
前記解除兼位置決め部は、前記操作アームの基端部分を前記ロック部に接続する
ことを特徴とする電線引き出し部分構造。
【請求項３】
請求項１又は２に記載の電線引き出し部分構造において、
前記管体は、周方向の凹部及び／又は凸部を有するものであり、前記管体係合部は、前記凹部及び／又は前記凸部に係合する
ことを特徴とする電線引き出し部分構造。
【請求項４】
請求項１、２又は３に記載の電線引き出し部分構造において、
前記解除兼位置決め部は、前記管体に対するテープ巻部を有する
ことを特徴とする電線引き出し部分構造。
【請求項５】
請求項１、２、３又は４に記載の電線引き出し部分構造において、
前記カバーは、前記解除兼位置決め部の連続部分近傍を前記管体に対する押し当て部分
とする
ことを特徴とする電線引き出し部分構造。
【発明の詳細な説明】
【技術分野】
【０００１】
本発明は、電線引き出し部分の構造に関する。
【背景技術】
【０００２】
下記特許文献１の図１及び図２には、ハウジング及びカバー（リアホルダー）が開示され、ハウジングの後端の開口部からは、図示しない電線が引き出される。ハウジングの開口部には、カバーが係止される。カバーは、電線引き出し部分と、係止突起と、解除孔とを有する。カバーは、この係止突起がハウジングの開口部に形成された係止凹部に引っ掛かり係止される。カバーは、所謂リアホルダーとして機能する。
【０００３】
メンテナンス等でカバーを取り外す必要がある場合には、解除用の治具をカバーの解除孔に差し込んで、この後に、てこの原理にて治具からリアホルダーに力を作用させると、係止突起及び係止凹部の係止状態を解除することができ、これによりカバーが取り外される。
【先行技術文献】
【特許文献】
【０００４】
【特許文献１】特開平７−２４５１４０号公報
【発明の概要】
【発明が解決しようとする課題】
【０００５】
上記従来技術にあっては、解除用の治具でないとカバーの取り外しをすることができないことから、カバーの解除性が悪いという問題点や、治具の保管等に手間が掛かるという問題点を有する。
【０００６】
ところで、カバーの電線引き出し部分から引き出された電線を保護するため、電線に保護用の管体を取り付けることが考えられるが、管体の位置決めをしておかないと配索時にズレが生じてしまうという問題点を有する。位置ズレ防止専用の治具を用意するのであれば、上記同様の問題点を有することになり、治具を用いない場合であれば、サンプル品との合わせ確認が必要になって作業が繁雑になってしまうという問題点を有する。
【０００７】
本発明は、上記した事情に鑑みてなされたもので、治具を用いずにカバーの解除性向上と管体の位置決めとを図ることが可能な、電線引き出し部分構造を提供することを課題とする。
【課題を解決するための手段】
【０００８】
上記課題を解決するためになされた請求項１記載の本発明の電線引き出し部分構造は、ハウジングと、電線引き出し部分を残して前記ハウジングの開口部を覆うカバーと、前記電線引き出し部分から引き出される電線と、該電線を収容保護する管体とを含み、前記カバーは、前記ハウジングとのロック部に一体形成されており、かつ、前記ハウジングの外方にアーム状に延びた操作アームを含み、該操作アームを弾性変形させることによって、前記ロック部による前記ハウジングとの係止解除を可能とし、かつ、前記管体を位置決めした位置で係合する前記操作アームが形成されている管体係合部は前記ハウジングとの係止解除及び前記管体の位置決めを兼用する解除兼位置決め部と、を有することを特徴とする。
【０００９】
このような特徴を有する本発明によれば、カバーの解除兼位置決め部がハウジングとの係止解除に係る部分になる。また、管体の位置決めに係る部分にもなる。
【００１０】
請求項２に記載の本発明の電線引き出し部分構造は、請求項１に記載の電線引き出し部分構造において、前記解除兼位置決め部は、前記操作アームの基端部分を前記ロック部に接続することを特徴とする。
【００１１】
このような特徴を有する本発明によれば、ハウジングとの係止解除に有効な配置の解除兼位置決め部になる。
【００１２】
請求項３に記載の本発明の電線引き出し部分構造は、請求項１又は２に記載の電線引き出し部分構造において、前記管体は、周方向の凹部及び／又は凸部を有するものであり、前記管体係合部は、前記凹部及び／又は前記凸部に係合することを特徴とする。
【００１３】
このような特徴を有する本発明によれば、管体の位置決めに有効な部分を有する解除兼位置決め部になる。
【００１４】
請求項４に記載の本発明の電線引き出し部分構造は、請求項１、２又は３に記載の電線引き出し部分構造に係り、前記解除兼位置決め部は、前記管体に対するテープ巻部を有することを特徴とする。
【００１５】
このような特徴を有する本発明によれば、管体の位置決めに有効な部分を有する解除兼位置決め部になる。
【００１６】
請求項５に記載の本発明の電線引き出し部分構造は、請求項１、２、３又は４に記載の電線引き出し部分構造に係り、前記カバーは、前記解除兼位置決め部の連続部分近傍を前記管体に対する押し当て部分とすることを特徴とする。
【００１７】
このような特徴を有する本発明によれば、管体の位置決めに有効な部分を有するカバーになる。
【発明の効果】
【００１８】
請求項１に記載された本発明によれば、カバーに解除兼位置決め部を設けることから、この解除兼位置決め部を介してハウジングとの係止解除と、管体の位置決めをすることができる。従って、本発明によれば、治具を用いずにカバーの解除性向上と管体の位置決めとを図ることができるという効果を奏する。
【００１９】
請求項２に記載された本発明によれば、ハウジング及びカバーのロック部近傍に解除兼位置決め部を配置することから、特にハウジングとの係止解除をスムーズに行うことができるという効果を奏する。
【００２０】
請求項３に記載された本発明によれば、解除兼位置決め部に管体係合部を設けてこれを管体の凹部及び／又は凸部に係合させることから、より確実に管体の位置決めをすることができるという効果を奏する。
【００２１】
請求項４に記載された本発明によれば、解除兼位置決め部にテープ巻部を設けてこの部分にテープ巻きによる固定をすることから、より確実に管体の位置決めをすることができるという効果を奏する。
【００２２】
請求項５に記載された本発明によれば、カバーに押し当て部分を設けてこの部分に管体を押し当てつつ解除兼位置決め部を用いることから、より確実に管体の位置決めをすることができるという効果を奏する。
【図面の簡単な説明】
【００２３】
【図１】本発明の電線引き出し部分構造を採用するＬＥＤユニットの斜視図である。
【図２】ＬＥＤユニットの分解斜視図である。
【図３】（ａ）は電線の引き出しに係る図、（ｂ）はカバーの係止解除に係る図である。
【図４】ＬＥＤユニットの側面図及び解除兼位置決め部の拡大図である。
【図５】テープ巻きを施した状態のＬＥＤユニットの側面図である。
【発明を実施するための形態】
【００２４】
ハウジングと、ハウジングから引き出される電線と、電線引き出し部分を残してハウジングの開口部を覆うカバーとを含む電線引き出し部分構造であり、カバーには解除兼位置決め部を設ける。この解除兼位置決め部は、ハウジングとの係止解除及び前記管体の位置決めを兼用する。
【実施例】
【００２５】
以下、図面を参照しながら実施例を説明する。図１は本発明の電線引き出し部分構造を採用するＬＥＤユニットの斜視図である。また、図２はＬＥＤユニットの分解斜視図、図３（ａ）は電線の引き出しに係る図、図３（ｂ）はカバーの係止解除に係る図、図４はＬＥＤユニットの側面図及び解除兼位置決め部の拡大図、図５はテープ巻きを施した状態のＬＥＤユニットの側面図である。
【００２６】
以下の説明において、具体的な形状、材料、数値、方向等は、本発明の理解を容易にするための例示であって、用途、目的、仕様等に合わせて適宜変更することができるものとする。
【００２７】
また、以下の説明において、本発明の電線引き出し部分構造をＬＥＤユニット、すなわち自動車等の移動体に組み付けられるＬＥＤユニットに採用するが、これに限定されないものとする。すなわち、ＬＥＤ以外の光源（ランプなど）を用いる照明ユニットや、発光表示部を有する表示装置等にも採用可能であるものとする。この他、電気的な接続を行うコネクタにも採用可能であるものとする。
【００２８】
図１において、引用符号１は本発明の電線引き出し部分構造を採用するＬＥＤユニットを示す。ＬＥＤユニット１は、例えば自動車の室内における図示しない照明対象を照らすためのものとして備えられる。尚、ＬＥＤユニット１は、電気自動車やハイブリッド自動車に組み付けられてもよく、その場合は例えば給電コネクタを照らすことも可能である。
【００２９】
図１及び図２において、ＬＥＤユニット１は、ハウジング２と、機能部３と、カバー４と、管体５とを含んで構成される。機能部３は、ハウジング２の後部に開口する開口部６を介してハウジング内部に収容される。開口部６は、電線引き出し部分７を残してカバー４にて覆われる。電線引き出し部分７からは、機能部３に接続された複数本の電線８が引き出される。カバー４には、本発明の電線引き出し部分構造の要部である解除兼位置決め部９が設けられる。以下、上記各構成について詳細に説明をする。
【００３０】
ハウジング２は、光透過性を有する合成樹脂材料を用いてなる樹脂成型品であって、上記の如く後部を開口させて開口部６が形成され、内部には収容空間（図示省略）が形成される。ハウジング２は、この全体が透明で例えば図示の如く箱形状に形成される。このようなハウジング２の上壁には、光透過部１０が形成される。光透過部１０は、後述するＬＥＤ１８の位置に対応する部分が該当する。また、ハウジング２における左右両側壁の後部には、係止突起１１（ロック部）がそれぞれ形成される。係止突起１１は、カバー４を係止する部分として形成される。
【００３１】
ハウジング２の後部において、開口部６の左右縁部位置には、カバー４の後述する係止アーム２２の基端部分を係合させる係合凹部１２が形成される。係合凹部１２は、ハウジング２の左右両側壁の後部を凹状に切り欠いて形成される。
【００３２】
図２において、機能部３は、回路基板アッセンブリ１３と、ホルダー１４と、防水パッキン１５と、複数の防水栓１６とを含んで構成される。回路基板アッセンブリ１３は、所望の回路パターンを有する基板１７と、この基板１７の表面（上面）側に実装されるＬＥＤ１８及び電子部品１９とを有する。
【００３３】
基板１７は、この両側部がハウジング２の内面に形成される図示しない支持部により支持される。また、基板１７は、この後部がホルダー１４に保持される。基板１７には、複数本の電線８が半田付けにより接続される。半田接続部分は、本実施例においてホルダー１４から近い部分に設定される。電線８は、電源供給用として、また、信号用として複数本設けられる。
【００３４】
ＬＥＤ１８は、箱状のパッケージ内に発光部を有し、基板１７の上記回路パターンに接続される。ＬＥＤ１８は、発光して図示しない照明対象を照らす。尚、図中のＬＥＤ１８の配置は一例であるものとする。また、ＬＥＤ１８の数も一つに限らず任意であるものとする。
【００３５】
ホルダー１４は、合成樹脂材料を用いてなる樹脂成型品であって、ホルダー本体２０を有する。ホルダー本体２０は、この外周がハウジング２の内周よりも若干小さく、隙間が生じるように形成される。隙間は、防水パッキン１５により水密に埋められる。
【００３６】
ホルダー本体２０には、基板保持部（符号省略）と、パッキン取り付け部（符号省略）と、複数の電線挿通孔（符号省略）とが形成される。上記基板保持部は、基板１７の後部を保持する部分として形成される。
【００３７】
上記パッキン取り付け部は、防水パッキン１５に対する取り付け部分であって、ホルダー本体２０の外周が該当する。ホルダー本体２０の外周、すなわちパッキン取り付け部２３とハウジング２の内周はシール面として形成され、防水パッキン１５が密着するようになる。防水パッキン１５は、ゴム等の止水可能な材料を用いて環状となる形状に成型される。防水パッキン１５は弾性を有する。防水パッキン１５には、複数のリップ部分が形成される。
【００３８】
上記電線挿通孔は、予め防水栓１６を取り付けておいた電線８を挿通する部分であって、円形に貫通形成される。電線挿通孔の内面はシール面として形成され、防水栓１６が密着する。防水栓１６は、ゴム等の止水可能な材料を用いて略筒状となる形状に成型される。防水栓１６は弾性を有する。防水栓１６には、複数のリップ部分が形成される。
【００３９】
カバー４は、合成樹脂材料を用いてなる樹脂成型品であって、カバー本体２１と、一対の係止アーム２２（ロック部）と、解除兼位置決め部９とを有する。カバー４は、所謂リアホルダーである。カバー本体２１は、電線引き出し部分７を残して開口部６を覆う部分として形成される。このようなカバー本体２１の外面には、解除兼位置決め部９が一体形成される。また、解除兼位置決め部９の一体部分（連続部分）近傍には、管体５に対する押し当て部分２３（図４参照）が形成される。
【００４０】
尚、本実施例の管体５は、周方向の凹部２４及び凸部２５を連続して交互に有する公知のコルゲートチューブであるものとする（一例であるものとする。単に所定位置に凹部２４又は凸部２５を有する柔軟なチューブであってもよいものとする）。管体５は、引き出された電線８を収容保護する部材として備えられる。
【００４１】
係止アーム２２は、カバー本体２１の左右両側部に連続するように形成される。係止アーム２２は、ハウジング２の係止突起１１に引っ掛かり係止されるような略枠形状に形成される。係止アーム２２は、可撓性を有する。係止アーム２２の基端部分は、ハウジング２の係合凹部１２に対し差し込まれる状態で係合する。
【００４２】
解除兼位置決め部９は、ハウジング２との係止解除及び管体５の位置決めを兼用する部分としてカバー本体２１に一体形成される。具体的には、係止アーム２２とハウジング２の係止突起１１との係止状態を専用の治具を用いずに解除する部分として、また、電線８を収容した状態にある管体５の位置ズレを防止したり固定したりする部分として、カバー本体２１に一体形成される。解除兼位置決め部９は、一方の係止アーム２２の近傍に配設される。解除兼位置決め部９は、略棒状となる形状に形成される（形状は一例であり、例えばリブ状であってもよいものとする）。
【００４３】
図３（ａ）において、ハウジング２から例えば真っ直ぐに引き出された電線８は、仮想線で示す如く解除兼位置決め部９の側へ寄せられる。そして、この後に管体５（図１参照）に収容されて保護される（一例であるものとする）。
【００４４】
図３（ｂ）において、解除兼位置決め部９に対し矢印Ｐ方向の力を加えると、カバー本体２１に若干の弾性変形が生じ、この弾性変形に伴ってハウジング２の係止突起１１に引っ掛かっていた係止アーム２２が外れて係止状態が解除される。この時の解除性は良好である。解除兼位置決め部９は、恰も操作アームのような部分として用いられる。解除兼位置決め部９は、係止解除や上記弾性変形のために、一方の係止アーム２２の近傍となる配置が有効である。
【００４５】
図４において、解除兼位置決め部９の先端には、一対の管体係合部２６が突出形成される。一対の管体係合部２６は、突起形状に形成され、このうちの一つが管体５の凹部２４に入り込んで係合する。尚、管体係合部２６は、管体５に係合して位置ズレを規制することができれば、特に形状や数は限定されないものとする。凹部２４に入り込まないもう一方の管体係合部２６は、本実施例において後述するテープ巻き２９に利用される。
【００４６】
管体５は、解除兼位置決め部９及び引き出された電線８に挟まれて保持されるとともに、この保持状態で管体係合部２６が凹部２４に入り込んで係合することから、また、解除兼位置決め部９の一体部分近傍に押し当て部分２３を有し、この押し当て部分２３に管体５の端部２７が当接することから、確実に位置決めや保持等がなされるようになる。
【００４７】
管体５は、例えば図示しないボディーパネルに開口形成された孔に挿通され、仮に孔に引っ掛かったとしてもズレが生じてしまうことはない。管体５による保護機能は維持される。
【００４８】
本実施例において、管体係合部２６と解除兼位置決め部９の基端部分（カバー本体２１の外面に対する一体部分）との間には、テープ巻部２８が形成される。このテープ巻部２８を用いて図５に示す如くテープ巻き２９を施すことにより、管体５に対する固定が一層確実になるのは勿論である（テープ巻き２９はＬＥＤユニット１の使用環境に応じて施せばよいものとする）。
【００４９】
尚、解除兼位置決め部９は、テープ巻き２９に適した長さで形成されるものとする。テープ巻き２９に関しては、解除兼位置決め部９を基準に施せば、或いは管体係合部２６を基準に施せば作業性は良好である。
【００５０】
以上、図１ないし図５を参照しながら説明してきたように、カバー４に解除兼位置決め部９を設けることから、この解除兼位置決め部９を介してハウジング２との係止解除と、管体５の位置決めをすることができる。従って、治具を用いずにカバー４の解除性向上と管体５の位置決めとを図ることができるという効果を奏する。
【００５１】
また、ハウジング２及びカバー４のロック部近傍、すなわち係止部分の近傍に解除兼位置決め部９を配置することから、特にハウジング２との係止解除をスムーズに行うことができるという効果を奏する。
【００５２】
また、解除兼位置決め部９に管体係合部２６を設けてこれを管体５の凹部２４に係合させることから、より確実に管体５の位置決めをすることができるという効果を奏する。
【００５３】
また、解除兼位置決め部９にテープ巻部２８を設けてこの部分にテープ巻き２９による固定をすることから、より確実に管体５の位置決めをすることができるという効果を奏する。
【００５４】
また、カバー４に押し当て部分２３を設けてこの部分に管体５の端部２７を押し当てつつ解除兼位置決め部９を用いることから、より確実に管体５の位置決めをすることができるという効果を奏する。尚、押し当て部分２３はハウジング２の後部に設けてもよいものとする。
【００５５】
本発明は本発明の主旨を変えない範囲で種々変更実施可能なことは勿論である。
【符号の説明】
【００５６】
１…ＬＥＤユニット、  ２…ハウジング、  ３…機能部、  ４…カバー、  ５…管体、  ６…開口部、  ７…電線引き出し部分、  ８…電線、  ９…解除兼位置決め部、  １０…光透過部、  １１…係止突起（ロック部）、  １２…係合凹部、  １３…回路基板アッセンブリ、  １４…ホルダー、  １５…防水パッキン、  １６…防水栓、  １７…基板、  １８…ＬＥＤ、  １９…電子部品、  ２０…ホルダー本体、  ２１…カバー本体、  ２２…係止アーム（ロック部）、  ２３…押し当て部分、  ２４…凹部、  ２５…凸部、  ２６…管体係合部、  ２７…端部、  ２８…テープ巻部、  ２９…テープ巻き
【図１】
0005975209.tif 000002
【図２】
0005975209.tif 000003
【図３】
0005975209.tif 000004
【図４】
0005975209.tif 000005
【図５】
0005975209.tif 000006